(57)【要約】【課題】屋内作業の他に農作業や建設作業など屋外作業や登山やスポーツや野外訓練などで着用され、かつ吸湿性と乾燥性と保温性をもつバンダナキャップを提供する。【解決手段】人体の前頭部を通って後頚部または肩峰までの長さを覆う広巾縦布部分２と該広巾縦布部分２の前頭部両側端縁から側頭部を通って後頭部までの長さを締着する締括用狭巾部分３からなるＴ形状のガーゼ生地のシート二枚を重ね合わせて縫い合わせ、さらに前頭部もしくは前頭部から頭頂部までの間にガーゼ生地の吸汗パッド５を縫い合わせた。【選択図】図１
0003173453.tif 000002
【実用新案登録請求の範囲】
【請求項１】
人体の前頭部から頭頂部と後頭部を通って後頸部または肩峰部までの長さを覆う広巾縦布部分２と該広巾縦布部分の前頭部両側端縁から側頭部を通って後頭部までの長さの頭周部を締着する締括用狭巾部分３を一帯に裁断したＴ形状のガーゼ生地のシート二枚を上下に重ね合わせて周端部を縫い合わせ、さらに前頭部もしくは前頭部から頭頂部までの長さの間に任意な大きさに裁断したガーゼ生地を一枚または二枚以上を重ね合わせた吸汗パッド５を縫い合わせて構成した事を特徴とするバンダナキャップ。
【考案の詳細な説明】
【技術分野】
【０００１】  本考案は、屋内作業の他に炎天下や寒さの中で汗や埃に塗れながら農作業や建設作業などの様に屋外作業をするとき、野外訓練に励むとき、登山やスポーツを楽しむときなど、あらゆる分野で着用されるバンダナキャップに関するものである。
【背景技術】
【０００２】  炎天下の紫外線対策または熱中症対策から直射日光を避けるため工夫をした日除け帽子さらに極寒時の寒風対策にも着用できる様に工夫をした日除け帽子など、多くの種類の日除け帽子が開発されている。例えば簡単な製作構造で散歩に最適な日焼け帽子に、特開平９−５９８１７号公報の「前頭部側が大きく後頭部側が小さい一連の鍔からなる製作工程を短縮した日除け帽子」がある。首に当たる直射日光を遮断し通気性と保温性を確保する日除け帽子に、実登第３０８３４７０号公報の「帽子本体に、該帽子の後方側から首に当たる太陽光線を遮蔽する日除部（シート状のもの）を設け、さらに日除部が風で捲れない様に重なり合せた首部日除け帽子」、特開２００７−１６３２５号公報の「頭頂部分と顔側日除け部分を一体化し、その両側から後頭部分の日除け部分に布を二重にし、その間に紐やゴムを装着して埃吸い込み防止用マスクに代用できる様に工夫し、さらし木綿や絹や合成素材の日除け帽子」がある。さらに兜型の帽子すなわちヘルメットの帽子型に、実登第３１０４６７１号公報や特開２００６−２１９７９１号公報の様に「帽子本体の後頭部側に日除けフードまたは日除け部材を垂れ下げる様に設けた、日除けフード付き帽子または日除け付きヘルメット」がある。さらに頭部と顔全体を包み込む日除け体として、特開２００８−２５０７３号公報の「柔らかい布製の円筒布体を着用者の頭部から首周辺を十分に包囲可能な寸法にすると共に、該円筒布体の一方の開口部に該開口部の直径よりも短い弾性紐を掛け渡して製作した日除け体」もある。
これら何れの日除け帽子は、後頭部に当たる直射日光とその熱を遮蔽し、日除け部材や日除けフードの存在が邪魔にならない程度の動作の作業や座って手作業するなど比較的安全な作業での着用は好都合である。しかしながら、前記した特開２００６−２１９７９１号公報などの様なヘルメット型の日除け帽子は、着用する人の頭よりもやや大き目に作られ顎紐の張力を加減して着用されるが、激しい動作を行った場合に大きく傾き、後頭部に付けられた日除けフードや日除け部材が目隠しをし、作業に支障を来たす事もあった。また前記した特開２００８−２５０７３号公報の様に、円筒形の布で頭部
全体を包囲する日除け体は、日除けを防止しまた過激な動きによって巻き上げられた埃の吸い込みを防止する効果は大きいが、汗を掻いたときの息苦しさから解放するものでなく、特に騒音が激しい現場作業においては他人の話声を聞き辛くまた機械の異常音を聞き漏らし易いため安全作業を脅かす危険性もあった。【０００３】  さらにバンダナタイプの帽子やキャップも開発されている。例えば実登第３００１８６０号公報は「展開略四角形状の布材の一つの対角線の中央付近にツバ部材を付けたファション性と使い易さを向上させたバンダナ帽子」であり、また実登第３１４５３３５号公報は「一枚の布を縫い合わせて頭部前面に作った袋状のスリットにＣ字型のカチューシャを挿入し、頭頂部に膨らみを持たせてゴム紐で縫い合わせたかチューシャ内臓のバンダナキャップ」がある。これらは、ファション性や着用したときの整髪の乱れを防止したバンダナ帽子またはバンダナキャップを提供するものであって、前記した特開平９−５９８１７号公報などと異なって、日除き帽子を提供するものでない。
【特許文献１】  特開平９−５９８１７号公報
【特許文献２】  実登第３０８３４７０号公報
【特許文献３】  特開２００７−１６３２５号公報
【特許文献４】  実登第３１０４６７１号公報
【特許文献５】  特開２００６−２１９７９１号公報
【特許文献６】  特開２００８−２５０７３号公報
【特許文献７】  実登第３００１８６０号公報
【特許文献８】  実登第３１４５３３５号公報
【考案の開示】
【考案が解決しようとする課題】
【０００４】  上記の様に今日まで開発された日除け帽子は、鍔を付けた帽子の後頭部または側頭部さらに前頭部前面で通気性を確保し直射日光を遮断し埃の吸い込みまでも防止する優れた日除け部材に作られているが、人の頭を覆い被せる膨出形状のデザインに作られているため、自分の頭のサイズに適合する日除け帽子を選ばなければならない問題があり、また帽子メーカーにとっても多くのサイズの帽子を準備しなければならない問題があった。また野球用帽子やヘルメットの様に鍔付き帽子にスカーフや日除け部材を付けた日除け帽子は、スポーツ用品または現場作業用品として限定した指定分野で着用されるものであって、家庭内や店舗内で働く人の整髪の乱れを防止する着用品として兼用されるものでなく、さらに前記したカチューシャ内臓のキャップに載帽して着用できるものでなかった。【０００５】  本考案は、上記した従来から着用される日除け帽子の問題点を解消する事を目的に頭を覆う形に裁断された布を後頭部で締めるバンダナキャップの裁断形状や使用する生地などについて種々検討した結果から作り出したもので、後頭部付近さらにその下方側の後頸部から肩峰部までの間に照射する直射日光や冬の寒風の直接衝突を柔らげると共に軽量で薄い肌触りがよいガーゼ生地を使用する事で吸湿性（または吸汗性）と乾燥性と保温性を改善し、農作業や建設作業や野山を駆ける野外訓練時の他に登山・サイクリングやジョギングやウォーキングなど各種のスポーツ・魚釣りまた屋内作業時のファション衣として着用でき、さらには既存ヘルメットの下着キャップ衣として着用する事もできる。さらにはメーカー側は多くのサイズの大きさを取り揃える必要もなく、単一サイズでしかも多くの用途に着用できるバンダナキャップを提供するものである。
【課題を解決するための手段】
【０００６】  本考案はその目的を達成したもので、その要旨は、人体の前頭部から頭頂部と後頭部を通って後頚部または肩峰部までの長さを覆う広巾縦布部分と該広巾縦布部分の前頭部両側端縁から側頭部を通って後頭部までの長さの頭周部を締着する締括用狭巾部分を一帯に裁断したＴ形状のガーゼ生地のシート二枚を上下に重ね合わせて周端部を縫い合わせ、さらに前頭部もしくは前頭部から頭頂部までの長さの間に任意な大きさに裁断したガーゼ生地の一枚または二枚以上を重ね合わせた吸汗パッドを縫い合わせて構成したバンダナキャップである。
【考案の効果】
【０００７】  本考案のバンダナキャップは、炎天下の直射日光を避けまた極寒時の寒さ対策衣としても着用できるため、農作業や建設作業や野外訓練時の他に各種のスポーツや屋内衣としても着用できる特長がある。また薄くて軽く吸湿性や乾燥性や保温性に優れたガーゼ生地で作られているため、一年を通じて季節に関係なく着用でき、塵や泥に汚れても洗濯すれば直ちに着用できる特長がある。また本考案のバンダナキャップは、人の頭の大きさに関係なくフリーサイズの単一サイズに集約できるため、多くのサイズの品数を揃える必要がない。
【考案を実施するための最良の形態】
【０００８】  以下、本考案のバンダナキャップの形態について、図面を参照しながら詳細に説明する。
図は本考案の一実施例を示したもので、図１は本考案の展開平面図、図２は本考案着用時の側面図を示す。図１において、１はバンダナキャップ用部材である。バンダナキャップ用部材１は、人体の前頭部から頭頂部と後頭部を通って後頚部またはその下方側の肩峰部までの長さを覆う広巾縦布部分２と該広巾縦布部分２の前頭部両側端縁から側頭部を通って後頭部までの長さの頭周部を末端側に付けたボタン・ホック・面ファスナーなど任意な結合手段（図示せず）で締着する締括用狭巾部分３を一帯に裁断したＴ形状のガーゼ生地のシート二枚を上下に重ね合わせ、該周端部を縫い合わせたものである。４は周端部の縫い目を示す。Ｔ形状の裁断形状は、例えば後頭部側へ傾く斜方形の裁断形状に較べ、ガーゼ生地を経済的に裁断できる利点から限定したものである。またガーゼ生地は、綿糸をさらし木綿よりも少し目粗く織った布地で、薄くかつ軽量で吸湿性や保温性や速乾性にも優れた特性を有する。この様なガーゼ生地を使用した本考案のバンダナキャップは、厚く嵩張らないためヘルメットの下地キャップ衣として着用でき、汗の悪臭を周囲に放ち泥や埃などで汚れても洗濯する事で綺麗に落とされまた速乾性の特質から直ちにふわふわとした優しい肌触りで着用できる利点がある。さらに本考案においては、ガーゼ生地の二枚を重ね縫いする事は部材本体を重くする事で、本来ガーゼ生地の一枚が保有する目粗さと軽さが影響する問題を解消し、風の捲り上がりを防止すると共に直射日光を遮蔽し日除け効果を維持するものである。５は吸汗パットである。吸汗パット５は前頭部に滲み出た汗を吸収するもので、広巾縦布部分２の前頭部もしくは前頭部から頭頂部までの長さに任意な大きさのガーゼ生地を一枚または二枚以上を重ね合わせたパット部材を、該巾広縦布部分２の内側または外側あるいは重ね合わされたガーゼ生地の間に縫い合わせたものである。
以上の様に本考案のバンダナキャップは、ガーゼ生地を使用して簡単な構造に作られている。さらに本考案は、着用する人の好みや年齢や着用する目的や場所や環境などに応じじてガーゼ生地に色を付けまた図柄を描いてもよい。【０００９】  上記の様な構造に作られた本考案バンダナキャップ部材１の着用要領は、図２で示す様に、先ずは広巾縦布部分２を人体の前頭部から頭頂部と後頭部を通って後頚部または肩峰部までの長さに乗載する様に被った後、該広巾縦布部分２の前頭部両側に付けた２本の締括用狭巾部分３を、前頭部から後頭部側へ軽く引張りながら側頭部を両側から括着し後頭部で締着して着用する。
【産業上の利用可能性】
【００１０】  以上の様な本考案のバンダナキャップは、ガーゼ生地を使用する事で何かの理由で人が負傷した際は緊急時の包帯の代用品と利用できるので、過激な運動するスポーツや野外訓練に励む人達の必需品として重宝され、今後益々着用される可能性が高くなる。
【図面の簡単な説明】
【００１１】
【図１】本考案の一実施例を展開平面図で示す。
【図２】本考案のバンダナキャップの着用図を示す。
【図面の符号】
【００１２】  １  バンダナキャップ用部材
２  広巾縦布部分
３  締括用狭巾部分
４  縫い目
５  吸汗パット
【図１】
0003173453.tif 000003
【図２】
0003173453.tif 000004